(57)【要約】      （修正有）【課題】液晶モニタ等の平面状モニタの使用時であっても拡大読書器の大きさが小さくなるように形成する一方、不使用時には、装置全体をコンパクトに折畳んで手軽に持運ぶことを可能にした拡大読書器を提供すること。【解決手段】水平姿勢で置かれる原稿台を含む下ケース体３と、該下ケース体３の前後方向の後端に開閉自在に枢着結合されると共にほぼ４５度前後の傾斜角で開き角が保持される上ケース体１と、上ケース体１の先端部内面側に揺動固定可能に吊下された液晶などによる平面状モニタ５と、該モニタ５と一体に又は別体で前記原稿台に臨んで設けたカメラ７とを具備し、かつ、前記上ケース体１の内面側には、当該ケース側に畳まれる前記面状モニタ５が収まる収容部とカメラ７が収まる凹部２を形成した。【選択図】    図１
2004336229.tif 000002
【特許請求の範囲】
【請求項１】
水平姿勢で置かれる原稿台を含む下ケース体と、該下ケース体の前後方向の後端に開閉自在に枢着結合されると共にほぼ４５度前後の傾斜角で開き角が保持される上ケース体と、上ケース体の先端部内面側に揺動固定可能に吊下された液晶などによる平面状モニタと、該モニタと一体に又は別体で前記原稿台に臨んで設けたカメラとを具備し、かつ、前記上ケース体の内面側には、当該ケース側に畳まれる前記面状モニタが収まる収容部とカメラが収まる凹部を形成して成り、上，下ケース体を合せるように閉じると、平面状モニタが上ケース体の収容部に、カメラが上ケース体の凹部にそれぞれ収まり、閉じている上，下ケース体を開くと、水平な下ケース体の原稿台の真上に平面状モニタとカメラとがその原稿台に対し略垂直な向きで対向するようにしたことを特徴とする拡大読書器。
【請求項２】
平面状モニタとカメラとは、一体的に、又は、それぞれ個別に上ケース体に取付けた請求項１の拡大読書器。
【請求項３】
平面状モニタは、上ケース体からの吊下角を調節可能に設けた請求項１又は２の拡大読書器。
【請求項４】
上，下ケース体の枢着部側に、提げ手を設けた請求項１〜３のいずれかの拡大読書器。
【請求項５】
下ケース体の上に原稿台をＸ軸方向、又は、Ｘ軸方向とＹ軸方向にスライド可能に架装した請求項１〜４のいずれかの拡大読書器。
【請求項６】
閉じられた上，下ケース体は、操作ボタンを備えたロック機構により、その閉じた状態を保持するように形成した請求項１〜５のいずれかの拡大読書器。
【発明の詳細な説明】
【０００１】
【発明の属する技術分野】
本発明は弱視者の読み書きを支援する視覚障害補償機器である拡大読書器に関し、より具体的には、取扱い性、特に使用時の利便性と可搬性並びにデザイン性を、従来品に比べ各段に改善した拡大読書器に関する。
【０００２】
【従来の技術】
従来から、例えば側面略コ状の架台（フレーム）の下に原稿台を配設すると共に、原稿台の上方に、ＴＶカメラと同等機能のＣＣＤカメラなどによる原稿読取手段を照明手段を具備させて設け、前記原稿台の上に置いた原稿を読取手段によって撮像し、その画像を前記架台の上に載置したテレビジョン受像機のようなＣＲＴモニタ画面に拡大表示させるようにしたいわゆる「拡大読書器」が、特許第２８５７９５９号（特許文献１参照）などにより公知である。
【０００３】
従来の拡大読書器は、モニタ画面がコストや入手し易さの関係で市販のＣＲＴ、或は、画面にＣＲＴを用いたＴＶ受像機により形成されるため、架台も含んた全体の大きさが、例えば、通常のオフィス用デスク天板の略１／２程度を占有してしまうほど大きくなり、また、折畳んでコンパクト化できるのは、本出願人が先に提案した上記特許第２８５７９５９号の発明（前記特許文献１参照）に係るもののように、架台（原稿台を含む）を折畳み可能にしたものしかないため、装置全体が大形になってスペース効率がよくなく、また、可搬性にも欠けるという憾があった。
【０００４】
更に、拡大読書器の需要量は、ＴＶ受像機のような一般的な映像機器に比べると、きわめて限られた少ない数量であるため、大量生産されるいわゆる家電製品のように設計やデザインにコストをかけて開発された構造やデザインが付与されていないものが多く、この面でもまた、装置としての使い勝手が良好でなかったり、製品の見映えの点でも優れたものとはいい難いものであった。
【０００５】
【特許文献１】特許第２８５７９５９号公報
【０００６】
【発明が解決しようとする課題】
しかし、昨今ではパソコン等の普及によって場所を取らない大きさ，形状の液晶モニタが安価に市場に提供されているので、本発明では、従来のＣＲＴモニタに比べれば占有空間がはるかに少ない液晶モニタ等の平面状モニタを使用して使用時であっても拡大読書器の大きさが小さくなるように形成する一方、不使用時には、装置全体をコンパクトに折畳んで手提カバン状に容易かつ手軽に持運ぶことを可能にした拡大読書器を提供することを、課題とする。
【０００７】
【課題を解決するための手段】
上記課題を解決することを目的としてなされた本発明拡大読書器の構成は、水平姿勢で置かれる原稿台を含む下ケース体と、該下ケース体の前後方向の後端に開閉自在に枢着結合されると共にほぼ４５度前後の傾斜角で開き角が保持される上ケース体と、上ケース体の先端部内面側に揺動固定可能に吊下された液晶などによる平面状モニタと、該モニタと一体に又は別体で前記原稿台に臨んで設けたカメラとを具備し、かつ、前記上ケース体の内面側には、当該ケース側に畳まれる前記面状モニタが収まる収容部とカメラが収まる凹部を形成して成り、上，下ケース体を合せるように閉じると、平面状モニタが上ケース体の収容部に、カメラが上ケース体の凹部にそれぞれ収まり、閉じている上，下ケース体を開くと、水平な下ケース体の原稿台の真上に平面状モニタとカメラとがその原稿台に対し略垂直な向きで対向するようにしたことを特徴とするものである。
【０００８】
本発明拡大読書器は、上記構成において、平面状モニタの吊下角を調節可能にしたり、平面状モニタとカメラとを一体的に、又は、別体でケース体に取付けることができる、また、上，下ケース体の枢着部側には、ハンドルを設けた構成とすることができる。更に、本発明拡大読書器は、下ケース体の上に原稿台をＸ軸方向、又は、Ｘ軸方向とＹ軸方向にスライド可能に架装した構成とすることもできる。
【０００９】
【発明の実施の形態】
次に、図を参照して本発明拡大読書器の実施形態の例について説明する。図１は本発明の一例の拡大読書器の折畳んだ状態を示す側面図、図２は図１の拡大読書器を展開して使用状態にあるときの側面図、図３は平面状モニタの吊下角を変更した例の側面図、図４は本発明拡大読書器の折畳状態の斜視図、図５は図４の拡大読書器の使用状態の斜視図である。
【００１０】
図１〜図３において、１は、平面視大略長方形状で下向きの浅底箱状をなす上ケース体で、このケース体１は略中央部に当該ケース体の外面を膨出させて成形した、従って、このケース体１の内面から見ると凹状に窪んだ、後述するＣＣＤカメラの収納部２が形成されている。また、上ケース体１の浅底箱状の内面は、後述する平面状モニタの収納部として機能する。なお、平面状モニタの収納部は凹状に窪んでいても、窪まないフラット状のいずれであってもよい。
【００１１】
３は上記上ケース体１と対応した平面形状で浅底箱状に形成された下ケース体であり、上，下のケース体は、図の右側端において、水平な軸４により枢着され、この軸４を中心に２枚貝状に開閉自在に結合されている。なお、両ケース体１，３が閉じられたとき、両者１，３が図１に示すように互に平行姿勢で閉じられるようにするため、図の例では下ケース体３の両サイド部に脚状に起立させて形成した軸受４ａを設けている。また、上ケース体１における軸４が取付けられる側の両サイドには、前記軸受４ａに対応した脚部１ａが形成されている。更に、閉じられた上，下ケース体１，３は、図１の左端側にその閉じた状態を保持するロック機構（例えば、ラッチとラッチ受、図に表れず）を具備している。３ａは当該ロック機構のプッシュタイプの操作ボタンである。
【００１２】
上ケース体１の軸４が設けられない側、即ち、図の例ではこのケース体１の左側の下面側には、平面状モニタの例として小さくても１４インチ程度の液晶モニタ５が、その左端部（展開時には上端部になる）が水平な取付軸６により枢着されている。また、図示した例では前記モニタ５の取付軸６と共軸により、ここでは、ＣＣＤカメラ７が吊下用ロッド８を介して取付けられている。なお、ＣＣＤカメラ７は、液晶モニタ５の裏面に取付けることもあれば、前記モニタ５の取付軸６とは別の軸（図示せず）により吊下用ロッド８を上ケース体１の内面に取付けることもある。
【００１３】
９は下ケース体３の上面において、この例では手前側（図の左側）に配設したモニタ５やカメラ７などの操作スイッチ等を具備した操作部、１０は前記操作部９より向う側（図の右側）に配設した原稿台で、この原稿台１０には図に現れないが、Ｘ軸方向（下ケース体３を平面視したときの左，右方向）、又は、Ｘ軸方向とＹ軸方向（下ケース体３の上，下方向）にスライドできる機能を具備したものを使用することが好ましい。原稿台１０はスライド機能を具備しない平板状のものであってもよいこと勿論である。
【００１４】
１１は、上ケース体１の内側の下半側近く、即ち、展開時に吊下される液晶モニタ５やＣＣＤカメラ７と干渉しない位置に設けたＬＥＤや小型電球などによる照明手段である。
【００１５】
上記のような基本形態により本発明拡大読書器の一例が形成されるが、図示した例では以下の付属的機構が設けられているので、説明する。
まず、上，下ケース体１，３の軸４による枢着部近傍には、両ケース体の開き角を所定に保持するための支杆１２とそのスライドガイド１３とが設けられている。スライドガイド１３のスライドエンド（図の右端）は、支杆１２のピン１２ａを係止するロック溝１３ａに形成されている。１２ｂは支杆１２の上端と上ケース体側の結合ピンである。
また、ＣＣＤカメラ７の吊下用ロッド８と上ケース体１の間にも、その吊下姿勢を保持するための支杆１４とスライドガイド１５とが設けられている。１４ａは吊下用ロッド８と支杆１４との結合ピン、１４ｂは上ケース体１に設けたスライドガイド１５に案内されるスライドピンである。
【００１６】
上，下ケース体１，３において、軸４により結合される側は、夫々の両サイドに脚部１ａと軸受４ａが設けられているので、軸４を両サイドの脚部１ａと軸受４ａを貫通するように設けると、両サイドの脚部１ａ，軸受４ａの間に位置する軸４は、あたかも提手ハンドル態様を呈するので、これを持運び用のハンドルとして利用することができる。なお、ハンドルは軸４とは別の帯状部材などを用いて形成してもよい。
【００１７】
また、液晶モニタ５の取付軸６には、図３に例示するようなモニタ固定用ノブ６ａを設け、モニタ５の吊下角を所望傾きに変えたとき、その傾き角を保持できるようにすることもできる。
【００１８】
【発明の効果】
本発明は拡大読書器は以上の通りであって、不使用時には、図１，図４に示すように、きわめてコンパクト、かつ、見映えよく折畳むことができ、提手になるハンドルもあるのでそのまま持運ぶことができる一方、使用時には図２，図３、或は、図４に例示する形態に展開されるから、従来の拡大読書器に比べきわめてコンパクトであるのみならず、スマートであり、使用場所をそれほど広く占有することはないので、使い勝手の面でも優れた拡大読書器を提供することができる。
【図面の簡単な説明】
【図１】本発明の一例の拡大読書器の折畳んだ状態を示す側面図。
【図２】図１の拡大読書器を展開して使用状態にあるときの側面図。
【図３】平面状モニタの吊下角を変更した例の側面図。
【図４】本発明拡大読書器の折畳状態の斜視図。
【図５】図４の拡大読書器の使用状態の斜視図。
【符号の説明】
１    上ケース体
２    凹部
３    下ケース体
４    上，下ケース体の枢着軸
５    液晶モニタ
６    取付軸
７    ＣＣＤカメラ
８    吊下用ロッド
９    操作部
１０    原稿台
【図１】
2004336229.tif 000003
【図２】
2004336229.tif 000004
【図３】
2004336229.tif 000005
【図４】
2004336229.tif 000006
【図５】
2004336229.tif 000007